(57)【特許請求の範囲】
【請求項１】
外槽と内槽からなり、内，外槽間に金属製の二次バリアを配設し、前記外槽に埋込まれた基礎埋込金物で前記二次バリアを係止すると共に、内槽アンカーの一端を前記内槽に固定してなる低温貯槽において；前記二次バリアを貫通する開口部を設け、同開口部周囲に取付けた上フランジと；上端を同上フランジ下面周囲に固定して前記外槽へ伸び、中間部を上下に区分し、上部を密閉する中蓋を有する中空金物と；同中空金物の下端に取付けた下フランジとを備え；前記内槽アンカーの他端を前記上フランジ下面と前記中空金物の中蓋間に挿入すると共に、同他端には同内槽アンカーに上向きの力が加わった時に同上フランジ下面に係止可能な係止部材を設け；前記基礎埋込金物の先端は前記中空金物の中蓋と前記下フランジ上面間に挿入すると共に、同先端には同下フランジ上面と接し、係止可能な係止部材を設けており、前記両係止部材はそれぞれ前記中空金物内に水平方向の拘束がない状態に挿入されていることを特徴とする低温貯槽アンカー。
【発明の詳細な説明】
【０００１】
【発明の属する技術分野】
本発明はＬＮＧ，ＬＰＧ，液化エチレン等の低温貯槽のアンカーに関する。
【０００２】
【従来の技術】
図２は従来の低温貯槽の部分断面図でアンカーを示している。図において、１は内槽、２は低温保冷材、３は保冷材２下面に設けられた金属製二次バリア、４は冷熱抵抗緩和材、５は冷熱抵抗緩和材４の下部に設けた気密材、６はコンクリート製外槽、７は内槽アンカー、１１は気密材５のアンカー、１２は基礎埋込金物で外槽６の底部に埋込まれ、金属製二次バリア３、冷熱抵抗緩和材５及び内槽アンカー７が剛結合されている。
【０００３】
上記のような構成において、基礎埋込金物１２と二次バリア３が剛結合されているので、二次バリア３が低温で収縮すると、基礎埋込金物１２との接合部に過大な応力が発生する。
【０００４】
【発明が解決しようとする課題】
前述の従来の低温貯槽アンカーにおいては、基礎埋込金物１２と径方向に収縮する金属製二次バリア３とが剛結合されているので、前述のように内槽漏液時に径方向に収縮する金属製二次バリア３と基礎埋込金物１２との接合部に過大な応力が発生する。
【０００５】
本発明はこのような課題を解決するために、基礎埋込金物と二次バリアとの接合部には二次バリアが径方向に収縮しても過大な応力がかからないような構造の低温貯槽アンカーを提供することを目的としている。
【０００６】
【課題を解決するための手段】
そこで、本発明は、外槽と内槽からなり、内，外槽間に金属製の二次バリアを配設し、前記外槽に埋込まれた基礎埋込金物で前記二次バリアを係止すると共に、内槽アンカーの一端を前記内槽に固定してなる低温貯槽において；前記二次バリアを貫通する開口部を設け、同開口部周囲に取付けた上フランジと；上端を同上フランジ下面周囲に固定して前記外槽へ伸び、中間部を上下に区分し、上部を密閉する中蓋を有する中空金物と；同中空金物の下端に取付けた下フランジとを備え；前記内槽アンカーの他端を前記上フランジ下面と前記中空金物の中蓋間に挿入すると共に、同他端には同内槽アンカーに上向きの力が加わった時に同上フランジ下面に係止可能な係止部材を設け；前記基礎埋込金物の先端は前記中空金物の中蓋と前記下フランジ上面間に挿入すると共に、同先端には同下フランジ上面と接し、係止可能な係止部材を設けており、前記両係止部材はそれぞれ前記中空金物内に水平方向の拘束がない状態に挿入されていることを特徴とする低温貯槽アンカーを提供する。
【０００７】
本発明の低温貯槽アンカーでは、内槽アンカーに働く上向きの力は内槽アンカー他端の係止部材、上フランジ下面、中空金物、下フランジ上面、基礎埋込金物先端の係止部材を経由して基礎埋込金物に伝達される。又、液密ラインは二次バリア及び中空金物の中蓋より上部の密閉された中空部分で形成され、液密が確保される。
【０００８】
更に、二次バリアが低温で径方向に収縮し、二次バリアが移動すると上フランジを介して二次バリアに取付けられた中空金物もそれにつれて径方向に移動するが、内槽アンカーの他端と、基礎埋込金物の先端にはそれぞれ係止部材を設けており、両係止部材はそれぞれ中空金物内に水平方向の拘束がない状態に挿入されているので、内槽アンカー及び基礎埋込金物はそれぞれ水平移動を拘束されないので、元の位置を保持する。
【０００９】
以上の作用により、内槽破損時にも、内槽アンカー及び二次バリアに無理な力が加わらず、かつ、漏液を二次バリア及び中空金物の中蓋で密閉して保つことができる。
【００１０】
【発明の実施の形態】
以下、本発明の実施の形態について図面に基づいて具体的に説明する。図１は本発明の実施の一形態に係る低温貯槽アンカーの断面図である。図において、１は内槽、２は低部保冷材、３は低部保冷材２の下部に設けた金属製二次バリア、４は冷熱抵抗緩和材、５は緩和材４下部に設けた気密材、６はコンクリート製外槽、７は内槽アンカーである。
【００１１】
８は中空金物（以下、金具と称す）であり、短管状で金属製の二次バリア３及び冷熱抵抗緩和材５の一部を切欠き、開口部を設け、後述のように上フランジ８ａを介して二次バリア３の開口部に取付けられている。８ａは前述のように金具８上部の上フランジで、金属製二次バリア３の開口部周辺に取付けられている。８ｂは金具８下部に取付けられた下フランジ、８ｃは金具８の中央部を上下に区分して上部を密閉する中蓋であり、二次バリア３、金具８の上部及び中蓋８ｂとで液が漏れた時の液密を保っている。なお、金具８は管状として説明したが、中空状であればかならずしも円形でなくてもよい。
【００１２】
９は低温貯槽の側部保冷材、１０はコンクリート製外槽に埋込まれた基礎埋込金物、１１は気密材５のアンカー、１３は内槽アンカー７下端に固定され、金具８とは所定の隙間を保つと共に上フランジ８ａの下面と接して係止する部材である。１４は基礎埋込金物１０の先端に固定され、同じく金物８とは所定の隙間を保つと共に下フランジ８ｂと接して係止する部材である。
【００１３】
上記の構成の低温貯槽アンカーにおいて、内槽アンカー７の部材１３と上フランジ８ａの下面、及び基礎埋込金物１２の部材１４と下フランジ８ｂの上面とは夫々接する構造となっており、従って、内槽アンカー７の上向きの力は部材１３と上フランジ８ａの下面、金具８、下フランジ８ｂの上面及び部材１４を介して基礎埋込金物１０に伝達される。
【００１４】
ここで、今、内槽破損により低温の貯液が流出すると、金属製二次バリア３の温度が低下し、二次バリア３は径方向に収縮する。同時に二次バリア３の開口部に上フランジ８ａを介して取付けられている金具８も径方向に移動する。しかし、内槽アンカー７及び基礎埋込金物１０は、それぞれ金物８と中蓋８ｃの上下で金物８と所定の隙間を保ち、径方向の拘束がないので、元の位置にとどまり影響されない。
【００１５】
【発明の効果】
以上、具体的に説明したように、本発明は、低温貯槽の二次バリアに開口部を設け、開口部に取付けた上フランジと、上フランジに固定し、中蓋を有する中空金物と、中空金物の下端に取付けた下フランジとを有し、内槽アンカーの下端を中空金物内で上フランジに係止部材で係止し、基礎埋込金物の先端を中空金物内で下フランジに係止部材で係止する構成としたので、次のような効果を奏する。
【００１６】
（１）内槽破損時に二次バリアが低温で径方向に収縮しても内槽アンカー及び基礎埋込金物は水平方向の移動が拘束されないので、無理な力が加わらず、元の位置を保持できる。
【００１７】
（２）又、内槽破損時にも漏液を二次バリア及び中空金物の中蓋により上部の空間を密閉し、液密を保つことができ、コンクリート製の外槽が低温になるのを防ぎうる。
【図面の簡単な説明】
【図１】本発明の実施の一形態に係る低温貯槽アンカーの断面図である。
【図２】従来の低温貯槽アンカーの断面図である。
【符号の説明】
１            内槽
２            低部保冷材
３            金属製二次バリア
４            冷熱抵抗緩和材
５            気密材
６            コンクリート製外槽
７            内槽アンカー
８            金具
８ａ          上フランジ
８ｂ          下フランジ
８ｃ          中蓋
９            側部保冷材
１０          基礎埋込金物
１１          アンカー
１３，１４    部材
【図１】
0003814027.tif 000002
【図２】
0003814027.tif 000003